(57)【要約】      （修正有）【課題】裏板を簡単な構造で確実に押さえ、起立状態で保持できる額縁を提供する。【解決手段】保持対象物を間に挟持して積層された透明パネル及び裏板と、これら透明パネル及び裏板の周囲に配置されるフレーム２と、このフレームに装着されて上記裏板を押さえる押さえ具７とを備える額縁であって、上記フレームは、内側において上記透明パネル及び上記裏板の縁部を掛止できる段部１４と、裏側に向けて開口する溝部１５と、上記溝部の両側面から対向して延出する掛止縁部を有するとともに、上記溝部の一方に開口する押さえ具取付溝とを備える一方、上記押さえ具は、上記押さえ具取付溝の内側に配置されるとともに、上記押さえ具取付溝の幅より大きな断面幅を有する掛止部７ａと、上記掛止縁部間に嵌合させられる首部７ｂと、上記首部から延出して上記裏板に当接させられる押さえ部７ｃとを備え、上記押さえ部が、上記裏板を押さえる押圧姿勢と、上記溝部に沿う着脱姿勢との間で回動可能に保持されている。【選択図】図８
0003148738.tif 000002
【実用新案登録請求の範囲】
【請求項１】
保持対象物を間に挟持して積層された透明パネル及び裏板と、これら透明パネル及び裏板の周囲に配置されるフレームと、このフレームに装着されて上記裏板を押圧して固定する押さえ具とを備える額縁であって、
上記フレームは、
内側において上記透明パネル及び上記裏板の縁部を掛止できる段部と、
裏側に向けて開口する溝部と、
上記溝部の対向壁部から対向して延出する一対の掛止縁部を有するとともに、上記溝部の一方に開口する押さえ具取付溝とを備える一方、
上記押さえ具は、
上記押さえ具取付溝の内側に配置されるとともに、上記押さえ具取付溝の幅より大きな断面幅を有する掛止部と、
上記掛止縁部間に嵌合させられる首部と、
上記首部から延出して上記裏板を押圧固定する押さえ部とを備え、
上記押さえ部が、上記裏板を押さえる押圧位置と、上記溝部に沿う退避位置との間で回動可能に保持されている、額縁。
【請求項２】
上記掛止縁部の開口端に、掛止突部を設ける一方、
上記首部は、上記掛止突部の間を通過して上記押さえ具取付溝に着脱できる一の断面幅と、上記掛止突部の間の通過を阻止される他の断面幅を有する断面形状に形成されているとともに、上記押さえ部の退避位置において、上記掛止突起の間を通過できるように構成されている、請求項１に記載の額縁。
【請求項３】
上記溝部に、所定の間隔を開けて横切る一対の区画壁を設ける一方、
上記溝部の対向壁部と上記区画壁とで構成される空間に着脱可能に嵌合された止着部と、上記止着部から上記フレームの外側へ延出するとともに、上記フレームを所定の角度で起立させて保持できる脚部とを備える起立部材を設けた、請求項１又は請求項２のいずれか１項に記載の額縁。
【請求項４】
上記起立部材は、不使用時に上記フレームの上記溝部に収容保持される、請求項１から請求項３のいずれか１項に記載の額縁。
【請求項５】
上記溝部の開口側縁部に掛渡し状に形成されているとともに、吊り具を掛止できる掛止孔を備える掛止部を設けた、請求項１から請求項４のいずれか１項に記載の額縁。
【考案の詳細な説明】
【技術分野】
【０００１】
本願考案は、簡単な構造で裏板を押さえることができるとともに、フレームを起立状態に保持できる額縁に関する。
【背景技術】
【０００２】
一般的な、額縁は、矩形状に形成されたフレームの内側縁部に段部を設け、この段部に保持対象物を挟持した透明パネルと裏板とを保持できるように構成されている。上記透明パネルと上記裏板とを上記フレームに着脱可能に保持できるように、上記フレームに複数の押さえ具が回転可能に保持されている。従来の額縁は、木製のものが多く、上記押さえ金具は、釘等によって回転可能に保持されることが多い。
【特許文献１】実用新案登録第３０５７３５７号
【０００３】
上記特許文献１には、額縁の裏板を一定の圧力で圧着し、所定の位置に安定して静止する金具が開示されている。
【考案の開示】
【考案が解決しようとする課題】
【０００４】
上記特許文献１に記載されている額縁においては、裏板止め金具の一端をＵ字型とし、その部分をビス止めし、上記Ｕ字のバネを利用して、裏板を弾性的に押圧するように構成されている。
【０００５】
上記構造の額縁では、フレームをビス等を螺合させることのできる中実状の材料から形成しなければならない。このため、重量が大きくなるばかりでなく、コストも増加する。また、フレームの内部を中空に形成したプラスチック製の軽量な額縁に適用するには、補強部材を設けなければならない。さらに、上記ビスを正確な位置に設けなければならないため、製作する際の手間も増加する。
【０００６】
本願考案は、上述の事情のもとで考えだされたものであって、上記従来の問題を解決し、裏板を簡単な構造で確実に押さえることができるとともに、フレームを起立状態で保持できる額縁を提供するものである。
【課題を解決するための手段】
【０００７】
請求項１に記載した考案に係る額縁は、保持対象物を間に挟持して積層された透明パネル及び裏板と、これら透明パネル及び裏板の周囲に配置されるフレームと、このフレームに装着されて上記裏板を押圧して固定する押さえ具とを備えて構成される。
【０００８】
上記フレームは、内側において上記透明パネル及び上記裏板の縁部を掛止できる段部が形成されている。写真等の保持対象物を挟み込んだ透明パネルと裏板の縁部が、裏面側から上記段部に嵌め込まれる。
【０００９】
本願考案に係る上記フレームでは、裏側に向けて開口する溝部を設けることにより、フレーム全体を中空状に形成している。フレームを中空状に形成することにより、軽量化を図ることができるとともに、プラスチック等で製作する場合の材料コストを削減することができる。
【００１０】
また、本願考案では、上記フレームの溝部を利用して、上記裏板を上記段部に向けて弾性的に押圧できる押さえ具を設けている。すなわち、上記フレームに、上記溝部の対向壁部から対向して延出する一対の掛止縁部を有するとともに、上記溝部の一方に開口する押さえ具取付溝を設ける。
【００１１】
一方、本願考案に係る上記押さえ具は、上記押さえ具取付溝の内側に配置されるとともに、上記押さえ具取付溝の幅より大きな断面幅を有する掛止部と、上記掛止縁部間に嵌合させられる首部と、上記首部から延出して上記裏板を押圧固定する押さえ部とを備えて構成される。上記首部が上記押さえ具取付溝に嵌合させられることにより、他の部材を用いることなく、上記押さえ具を上記フレームに止着することができる。
【００１２】
上記押さえ部は、上記裏板を押さえる押圧位置と、上記溝部に沿う退避位置との間で回動可能に保持されている。上記退避姿勢において、上記首部を上記押さえ具取付溝に嵌合させることができるとともに、この姿勢において上記裏板を外して、保持対象物を透明パネルと裏板との間に装着できる。一方、上記押圧姿勢において、上記押さえ具は、上記裏板を上記段部に向けて弾性的に押圧し、上記透明パネルと、上記裏板と、これらの間に挟持された保持対象物を所定位置に確実に保持することができる。
【００１３】
上記フレーム及び上記押さえ具は、樹脂で形成するのが好ましい。成形方法は特に限定されることはなく、射出成形等種々の手法を用いて形成することができる。また、上記押さえ具は、押圧姿勢において、上記裏板を弾性的に押圧できるように構成するのが望ましい。
【００１４】
請求項２に記載した考案は、上記掛止縁部の開口端に、掛止突部を設ける一方、上記首部は、上記掛止突部の間を通過して上記押さえ具取付溝に着脱できる一の断面幅と、上記掛止突部の間の通過を阻止される他の断面幅を有する断面形状に形成されている。そして、上記首部は、上記押さえ部の退避位置において、上記掛止突起の間を通過できるように構成されている。
【００１５】
上記形態を採用することにより、上記押さえ部を上記裏板の裏面から退避させた状態において、すなわち、上記押さえ部を上記溝部に沿う方向に向けた状態で、上記首部を上記押さえ部材取付溝に着脱することができる。一方、上記押さえ部が上記裏板を押圧する姿勢においては、上記首部が上記掛止突起の間を通過することはできない。したがって、上記押さえ具がフレームから脱落することはなく、上記裏板を確実に押圧保持することができる。
【００１６】
請求項３記載した考案は、上記溝部に、所定の間隔を開けて横切る一対の区画壁を設ける一方、上記溝部の対向壁部と上記区画壁とで構成される空間に着脱可能に嵌合された止着部と、上記止着部から上記フレームの外側へ延出するとともに、上記フレームを所定の角度で起立させて保持できる脚部とを備える起立部材を設けたものである。
【００１７】
本請求項に記載した考案は、上記フレームの溝部を利用して、額縁を起立して保持できる起立部材を設けたものである。
【００１８】
上記起立部材は、一端に設けた上記止着部を上記空間に嵌合させるだけで、上記フレームに付属させることができる。また、上記起立部材は、容易に着脱することができるように構成されているため、吊り具等を利用する場合に取り外すことができる。したがって、邪魔になることはない。しかも、上記区画壁は、上記溝部を構成する対向壁部間をつなぐように形成されているため、上記フレームの補強部として機能する。上記起立部材の数は特に限定されることはなく、１以上の起立部材を装着できるように構成すればよい。
【００１９】
また、請求項４に記載した考案のように、上記起立部材を、不使用時に上記フレームの上記溝部に収容保持するように構成するのが望ましい。起立部材をフレームの溝部に収容できるように構成することにより、工場出荷時や販売時に上記保持部材が嵩張ることはない。また、不使用時に収容できるため、邪魔になることもない。
【００２０】
請求項５に記載した考案は、上記溝部の開口側縁部に掛渡し状に形成されているとともに、吊り具を掛止できる掛止孔を備える掛止部を設けたものである。
【００２１】
上記請求項５に記載した考案も、上記フレームの中空構造を利用して、掛止部を設けたものである。上記掛止部を設けることにより、種々の吊り具を利用して壁面等にフレームを固定することができる。また、上記掛止部は、上記フレームの対向壁をつなぐように形成されるため、上記フレームの補強構造としても機能させることができる。
【考案の効果】
【００２２】
中空形態のフレームを利用することにより、他の部材を用いることなく、押さえ具及び起立部材を容易に取り付けることができる。
【考案を実施するための最良の形態】
【００２３】
以下、本願考案に係る額縁を図に基づいて具体的に説明する。
【００２４】
図１から図３に示すように、本実施形態に係る額縁１は、正面視矩形状に形成されており、開口部２ａを有する矩形枠状のフレーム２と、上記開口部２ａに嵌め込み固定される透明パネル３及び裏板５と、この裏板５を背面側から押圧する押さえ具７とを備えて構成される。上記透明パネル３と上記裏板５の間に写真等の保持対象物４が挟持されている。
【００２５】
図４及び図５に示すように、上記フレーム２は、裏側に向けて開口する溝部１５を有する断面略Ｕ字状の中空状に形成されている。上記フレーム２の開口部２ａには、段部１４が形成されている。この段部１４には、上記保持対象物４を挟持した上記透明パネル３及び上記裏板５の縁部が掛止される。
【００２６】
図２に示すように、上記フレームの裏側には、裏板５の各辺を２箇所で押圧するために、８つの押さえ具７が設けられている。
【００２７】
本実施形態では、上記押さえ具７を取り付けるために、上記溝部１５に押さえ部取り付け溝６を設けている。上記押さえ部取付溝６は、上記段部１４から上記透明パネル３及び裏板５を積層した厚さだけ高い位置において、上記溝部１５の対向壁部から対向して延出する一対の掛止縁部１２ａ，１２ｂを設けて形成されている。上記押さえ具取付溝６は、上記溝部１５の一方に開口するように形成されている。また、上記掛止縁部１２ａ，１２ｂの開口端には、掛止突起１３ａ，１３ｂがそれぞれ設けられている。
【００２８】
図８に示すように、上記押さえ具７は、上記押さえ具取付溝の内側に位置させられる掛止部７ａと、上記掛止縁部１２ａ，１２ｂ間に保持される首部７ｂと、上記首部７ｂから延出する押さえ部７ｃとを備えて構成されている。
【００２９】
上記掛止部７ａは、上記押さえ具取り付け溝６の幅より大きく設定されている。上記掛止部７ａを、上記押さえ具取付溝６の内側に位置させるようにして上記押さえ具取付溝６に挿入することにより、上記押さえ具７が上記フレームに装着される。上記掛止部７ａが上記押さえ部取付溝６の幅より大きく設定されているため、上記押さえ具７を上記押さえ具取付溝６に回動可能に保持させることができる。
【００３０】
上記首部７ｂは、図８に示す上記押さえ部取付溝６の幅に対応した断面幅と、図６に示す上記一対の掛止突起１３ａ，１３ｂ間の幅に対応した断面幅を有する矩形状に形成されている。上記一対の掛止突起１３ａ，１３ｂ間の断面幅に設定した方向と上記押さえ部７ｃの延出方向は同一に設定されている。このため、上記押さえ部７ｃをフレーム２の溝方向に向けた状態で、上記首部７ｂを上記一対の掛止突起１３ａ，１３ｂ間を通過させて上記押さえ具取付溝６に挿入することができる。一方、上記押さえ部７ｃを上記裏板５側に向けた状態では、上記一対の掛止突起１３ａ，１３ｂに対してこれら掛止突起の幅より大きな断面幅を有する部分が対向するため、上記首部７ｂは上記掛止突起１３ａ，１３ｂ間を通過することができない。上記構成を採用することにより、上記押さえ具７が上記裏板５を押圧している状態では、上記押さえ具７が上記押さえ具取付溝６から脱落することはない。
【００３１】
上記押さえ部７ｃは、上記首部７ｂから、上記フレームの開口部に延出する長さに形成されている。上記押さえ部７ｃの先端部は、開口部２ａに向けて湾曲させられており、自然状態で上記裏板５の背面位置より低い位置に設定されている。これにより、段部１４に装着された上記裏板５の背面を弾性的に押圧することができる。
【００３２】
上記押さえ具７は、上記押さえ部７ｃを上記溝１５の方向に向けた状態で上記押さえ具取付溝６に装着されるとともに、上記裏板５の方向に回動させることにより、上記裏板５を弾性的に押圧した状態で脱落不可能に保持される。
【００３３】
上記構成を採用することにより、上記裏板５を確実に押圧して保持することができる。しかも、上記フレームの溝部に、他の部材を用いることなく上記押さえ具を取り付ける構造を一体的に設けることができる。このため、製造コストを低減させることができる。しかも、上記取付構造は、上記フレームの溝部１５を横切るように設けられているため、上記フレームの強度を向上させる効果も期待できる。
【００３４】
さらに、図６に示すように、本実施形態では、上記溝部１５を横切るように区画壁１０，１１を設け、この区画壁と上記溝部１５の対向壁とで形成される空間に起立部材９を装着できるように構成している。
【００３５】
図３、図７及び図９に示すように、本実施形態に係る上記起立部材９は、断面略エ字状をした棒状部材であり、上記溝部１５の対向壁部と上記区画壁１０，１１とで構成される空間８に着脱可能に嵌合できる止着部９ａと、上記止着部９ａから上記フレーム２の外側へ延出するとともに、上記フレーム２を所定の角度で起立させて保持できる脚部９ｂとを備えて構成される。上記止着部９ａと、上記脚部９ｂは、上記フレーム２を所定角度で保持できるように、所定の角度をもって形成されている。上記構成を採用することにより、上記空間８に上記止着部９ａを嵌合させるだけで、上記起立部材９を上記フレーム２に装着することができる。
【００３６】
しかも、上記起立部材９は、上記フレーム２の溝部１５の幅に対応した幅で形成されている。このため、図１０に示すように、搬送過程や販売時、さらに不使用時には、上記フレーム２の溝部１５内に収納することができる。このため、上記不使用時等に上記起立部材９が邪魔になることはなく、また、紛失する恐れもなくなる。しかも、上記起立部材９の収納構造は、上記区画壁１０，１１を設けるだけで構成できる。さらに、上記区画壁１０，１１は、上記溝部１５を横切るように形成されるため、フレームの強度を向上させることもできる。
【００３７】
さらに、本願考案では、図２に示すように、上記溝部１５の開口側縁部に掛渡し状に形成されているとともに、吊り具を掛止できる掛止孔８ａを設けた掛止部８を設けている。
【００３８】
上記掛止部８を設けることにより、種々の吊り具を利用して壁面等に額縁１を容易に固定することができる。また、上記掛止部８は、上記フレーム２の対向壁をつなぐように形成されるため、上記フレームの補強構造としても機能させることができる。
【００３９】
本願考案は、上述の実施形態に限定されることはない。実施形態では、フレームを断面略Ｕ字状に形成したが、他の断面形態を採用することができる。また、押さえ部を８箇所に設けたが、押さえ部の数はフレームの大きさ等によって変更することができる。また、起立部材の形態及び取付位置等も実施形態に限定されることはなく、種々の形態を採用できる。
【産業上の利用可能性】
【００４０】
裏板を確実に押圧保持できるとともに、安価な額縁を提供することができる。
【図面の簡単な説明】
【００４１】
【図１】本願考案に係る額縁の正面図である。
【図２】図１に示す額縁の背面図である。
【図３】図１に示す額縁の右側面図である。
【図４】図２に示す背面の要部拡大図である。
【図５】図４におけるＶ−Ｖ線に沿う断面図である。
【図６】図５におけるＶＩ−ＶＩ線に沿う要部拡大断面図である。
【図７】図５におけるＶＩＩ−ＶＩＩ線に沿う断面図である。
【図８】図５におけるＶＩＩＩ−ＶＩＩＩ線に沿う断面図である。
【図９】図３におけるＩＸ−ＩＸ線に沿う断面図である。
【図１０】起立部材をフレームに収納した状態を示す背面図である。
【符号の説明】
【００４２】
１  額縁
２  フレーム
３  透明パネル
４  保持対象物
５  裏板
６  押さえ具取付溝
７  押さえ具
７ａ  掛止部
７ｂ  首部
７ｃ  押さえ部
１２ａ  掛止縁部
１２ｂ  掛止縁部
１４  段部
１５  溝部
【図１】
0003148738.tif 000003
【図２】
0003148738.tif 000004
【図３】
0003148738.tif 000005
【図４】
0003148738.tif 000006
【図５】
0003148738.tif 000007
【図６】
0003148738.tif 000008
【図７】
0003148738.tif 000009
【図８】
0003148738.tif 000010
【図９】
0003148738.tif 000011
【図１０】
0003148738.tif 000012